(57)【要約】【課題】刈払機を清掃機に流用し、使用が容易な清掃機を得る。【解決手段】このアタッチメント１０においては、ギヤケース（清掃機用ギヤケース）２０が用いられ、連結棹２２０内の伝達軸に接続される。ギヤケース２０（ブラシ４０ａ、４０ｂ）と連結棹２２０との間のなす角度は、可変とされる。ブラシ４０ａ、４０ｂは、共に前後方向に往復運動をする。ただし、ブラシ４０ａ、４０ｂの動く方向は常に逆向きとなっている。ブラシ４０ａ、４０ｂの下面を床に当接させれば、この動きによって清掃作業をすることができる。【選択図】図２
2015013239.tif 000002
【特許請求の範囲】
【請求項１】
回転運動を生成する駆動部と、前記駆動部が端部に接続され、前記回転運動を伝達する伝達軸を内部に有する連結棹を有する作業機ユニットに装着される作業機用アタッチメントであって、
ブラシと、
前記ブラシに対し、前記回転運動より複数の異なる方向の運動を生成するギヤケースと、
を具備することを特徴とする作業機用アタッチメント。
【請求項２】
前記作業機用アタッチメントは、少なくとも２つのブラシを有し、
前記ギヤケースは、伝達軸の回転運動より、前記２つのブラシを互いに逆方向に運動させる動作を行わせることを特徴とする請求項１に記載の作業機用アタッチメント。
【請求項３】
前記２つのブラシは、互いに逆方向に移動する往復直線運動をすることを特徴とする請求項２に記載の作業機用アタッチメント。
【請求項４】
前記２つのブラシは環状の形態を具備し、前記２つのブラシのうちの一方は前記２つのブラシのうちの他方の外側を囲む構成とされたことを特徴とする請求項２に記載の作業機用アタッチメント。
【請求項５】
前記ギヤケースは、
前記ブラシの運動の方向と異なる方向に往復振動を前記ブラシに与えることを特徴とする請求項１から請求項４までのいずれか１項に記載の作業機用アタッチメント。
【請求項６】
前記伝達軸に対する前記２つのブラシの取付角度が可変とされたことを特徴とする請求項１から請求項５に記載の作業機用アタッチメント。
【請求項７】
請求項１から請求項６までのいずれか１項に記載の作業機用アタッチメントと、前記作業機ユニットとを有した作業機。
【請求項８】
前記作業機用アタッチメントは、刈払用アタッチメントに代えて前記作業機ユニットと接続可能であることを特徴とする請求項７に記載の作業機。
【請求項９】
回転運動を生成する駆動部と、
ブラシと接続されたギヤケースと、
前記回転運動を伝達する伝達軸を内部に有し、前記駆動部と前記ギヤケースを連結する連結棹とを有し、
前記ギヤケースは、回転運動とは異なる方向の運動を、前記ブラシの出力軸に対して与えることを特徴とする作業機。
【請求項１０】
前記連結棹は、その一部分、もしくは、前記ギヤケース又は駆動部との接続部分において、着脱可能な構造を有することを特徴とする請求項９記載の作業機。
【請求項１１】
前記ブラシは少なくとも２つのブラシを有し、
前記ギヤケースは、伝達軸の回転運動より、前記２つのブラシを互いに逆方向に運動させる動作を行わせることを特徴とする請求項９又は１０記載の作業機。
【請求項１２】
前記２つのブラシは、互いに逆方向に移動する往復直線運動をすることを特徴とする請求項１１に記載の作業機。
【請求項１３】
前記２つのブラシは環状の形態を具備し、前記２つのブラシのうちの一方は前記２つのブラシのうちの他方の外側を囲む構成とされたことを特徴とする請求項１０に記載の作業機。
【請求項１４】
前記ギヤケースは、
前記ブラシの運動の方向と異なる方向の振動を前記ブラシに与えることを特徴とする請求項９から請求項１３までのいずれか１項に記載の作業機。
【請求項１５】
前記伝達軸に対する前記２つのブラシの取付角度が可変とされたことを特徴とする請求項９から請求項１４に記載の作業機。
【発明の詳細な説明】
【技術分野】
【０００１】
本発明は、連結棹により、駆動力を先端部に伝達する作業機、一例を挙げれば刈払機やポールソー等において、その先端の刈刃等の代わりに装着され、刈払機を清掃機として利用する際に好適な刈払機用アタッチメントの構造に関する。また、作業機の構造に関する。
【背景技術】
【０００２】
雑草や下草等の刈り払い作業を行う作業機としては、エンジンやモーターを動力源（駆動部）として、先端に設けられた刈刃が回転する構成の刈払機が広く用いられる。この際、作業者は、刈刃を所望の箇所に移動させ、主に地上近くの草木を刈り払い除去する作業を行う。一般に、刈払機全体の構成は、平地のみならず、法面や土手等の斜面であってもこうした作業が容易となるように、エンジンやモーター等の動力源や操作部の形状の工夫がされている。
【０００３】
こうした刈払機の構成は、例えば特許文献１に記載されており、図９は、この刈払機２００の構成を示す斜視図である。この刈払機２００においては、回転する刈刃２１０が前後方向に細長いシャフト（連結棹）２２０の先端に設けられ、駆動部として例示されたエンジン２３０は、連結棹２２０の後端に固定されている。連結棹２２０の中央付近にはハンドル２４０が固定され、作業者は、このハンドル２４０を把持し、刈刃２１０を所望の箇所に当接させ、切断作業を行うことができる。刈刃２１０の後側には、カバー２５０が設けられる。
【０００４】
この刈払機２００においては、後端側に設けられたエンジン２３０による回転運動は、連結棹２２０内部に回転自在に設けられた伝達軸（図９において図示せず）によって、先端側に設けられたギヤケース（刈払機用ギヤケース）２６０に伝わる。ギヤケース２６０によって、この回転運動が、刈払い作業に適切となるような回転速度に減速され、刈刃２１０が固定される装着軸に伝達される。
【０００５】
図１０は、ギヤケース２６０及びその周辺の構造を示す断面図である。この図は、刈刃２１０の回転軸（装着軸）及び連結棹２２０の中心軸を含む断面（この刈払機２００が使用される際の鉛直断面）を示している。ギヤケース２６０内において、連結棹２２０内の伝達軸２２１の先端側には、ベベルギヤ２６１ａが固定される。刈刃２１０の回転軸となる装着軸２６２には、ベベルギヤ２６１ａと噛合するベベルギヤ２６１ｂが固定される。伝達軸２２１は連結棹２２０の中でベアリング２２２によって回転自在に支持され、装着軸２６２はギヤケース２６０内においてベアリング２６３ａ、２６３ｂによって回転自在に支持される。図１０における装着軸２６２の下部側には、刈刃２１０が固定される。この構成により、伝達軸２２１の回転運動が装着軸２６２（刈刃２１０）に適度な減速比で伝達される。
【０００６】
なお、実際には、エンジン２３０には、これを駆動する燃料を溜める燃料タンクも固定される。このため、連結棹２２０の後端側は重くなる。一方、図１０に示されたギヤケース２６０及び刈刃２１０が設けられた先端側も重くなる。このため、連結棹２２０には、作業者が肩に掛けることのできるベルトが設けられる場合もある。この場合には、作業者は、ベルトを肩に掛けた状態でハンドル２４０を把持し、刈刃２１０を所望の箇所に移動させることができる。
【０００７】
また、エンジン２３０に代えて、電動モーターを設ける電気駆動式の構造も広く採用されており、該構造の場合、バッテリや、商用電源，可搬性電源等の外部電源と接続される電源ケーブルが連結棹２２０の後端側に配置され、電動モーターは、エンジン２３０と同様に連結棹２２０の後端側に配置される構造、あるいは、連結棹２２０の先端側にギヤケース２６０と近接して設けられる構造が採用されている。
【先行技術文献】
【特許文献】
【０００８】
【特許文献１】特開２０１３−３１４１０号公報
【発明の概要】
【発明が解決しようとする課題】
【０００９】
上記の刈払機２００や、高い枝を切断するポールソー等、連結棹により駆動力を先端部に伝達する構造の作業機は、刈り払い作業等の専用機が大半であり用途が狭いため、稼働率が低い点が問題であった。特に、草刈作業に広く普及しているエンジン２３０を搭載した刈払機においては、エンジンや燃料の保守の点で、年間の使用頻度が高い状態、すなわち、草刈りのシーズン以外においても、継続的な使用を行うことが望ましいところ、オフシーズンで用いられる大きな用途がない状態であった。
【００１０】
ところで、上記の刈払機２００による刈り払い作業等とは異なるが、例えばタイル地やコンクリート等の床面や建物壁、プール、銭湯等の清掃作業の際には、デッキブラシ等を床に当接させて、主として人力で摺動させる。このブラシによる清掃作業を、上記の刈払機２００と同様に、エンジン等を動力源として行わせることが可能であれば、上記の刈払機２００において刈刃２１０の代わりにブラシを装着し、このブラシを刈刃同様に回転させることで、清掃機として年間を通して使用することが考えられる。
【００１１】
しかしながら、刈払機２００に求められる機能と清掃機に求められる機能とは本質的に異なるために、単にブラシを刈刃２１０の代わりに装着軸２６２に装着しただけでは、使用が容易な清掃機とはならなかった。
【００１２】
例えば、単に、刈払機２００の回転刃の部分に円形状のブラシを装着する構成では、回転数が大きすぎるため、所望部分の清掃を細かく行うことが難しく、快適な清掃作業が困難であった。また、上記の刈払機２００においては刈刃２１０を地面と当接させることはない前提で設計がなされているのに対し、清掃機においてはブラシは常に床と当接する前提とされる。このため、刈払機２００においては作業者に伝わる刈刃２１０からの反動の影響は小さかったのに対し、清掃機においては、ブラシから作業者に伝わる反動（反作用）の影響は大きくなり、また、床を押す方向の力の制御が困難であった。また、刈払機２００においては、カバー２５０が設けられているが、清掃機においては、ブラシの摺動の際には水や洗剤等が散布されることが多く、この水等が広い範囲で周囲に飛散するため、前述の小さなカバー２５０程度では、この水の飛散を抑制することは困難であった。
【００１３】
このように、単純に刈払機２００の回転刃の部分交換する程度では、ユーザの使用に十分な機能を供する清掃機を得ることは困難であった。
【００１４】
本発明は、かかる問題点に鑑みてなされたものであり、上記の問題点を解決する発明を提供することを目的とする。
【課題を解決するための手段】
【００１５】
本発明は、上記課題を解決すべく、以下に掲げる構成とした。
本願発明の作業機用アタッチメントは、回転運動を生成する駆動部と、前記駆動部が端部に接続され、前記回転運動を伝達する伝達軸を内部に有する連結棹を有する作業機ユニットに装着される作業機用アタッチメントであって、ブラシと、前記ブラシに対し、前記回転運動より複数の異なる方向の運動を生成するギヤケースと、を具備することを特徴とする。
また、上記構成に加えて、前記作業機用アタッチメントは、少なくとも２つのブラシを有し、前記ギヤケースは、伝達軸の回転運動より、前記２つのブラシを互いに逆方向に運動させる動作を行わせることを特徴としてもよい。
また、上記構成に加えて、前記２つのブラシは、互いに逆方向に移動する往復直線運動をすることを特徴としてもよい。
また、上記構成に加えて、前記２つのブラシは環状の形態を具備し、前記２つのブラシのうちの一方は前記２つのブラシのうちの他方の外側を囲む構成とされたことを特徴としてもよい。
また、上記構成に加えて、前記ギヤケースは、前記ブラシの運動の方向と異なる方向に往復振動を前記ブラシに与えることを特徴としてもよい。
また、上記構成に加えて、前記伝達軸に対する前記２つのブラシの取付角度が可変とされたことを特徴としてもよい。
また、本発明には、上記構成の作業機用アタッチメントと、前記作業機ユニットとを有した清掃機も含まれ、前記作業機用アタッチメントは、刈払機の作業機ユニットと接続可能であってもよい。
さらに本願発明は、作業機全体の構成として、回転運動を生成する駆動部と、ブラシと接続されたギヤケースと、前記回転運動を伝達する伝達軸を内部に有し、前記駆動部と前記ギヤケースを連結する連結棹とを有し、前記ギヤケースは、回転運動とは異なる方向の運動を、前記ブラシの出力軸に対して与えることを特徴とするものであってもよい。
また、上記構成に加えて、前記連結棹は、その一部分、もしくは、前記ギヤケース又は駆動部との接続部分において、着脱可能な構造を有することを特徴とする作業機であってもよい。
また、上記構成に加えて、前記ブラシは少なくとも２つのブラシを有し、前記ギヤケースは、伝達軸の回転運動より、前記２つのブラシを互いに逆方向に運動させる動作を行わせることを特徴とする作業機であってもよい。
また、上記構成に加えて、前記２つのブラシは、互いに逆方向に移動する往復直線運動をすることを特徴とする作業機であってもよい。
また、上記構成に加えて、前記２つのブラシは環状の形態を具備し、前記２つのブラシのうちの一方は前記２つのブラシのうちの他方の外側を囲む構成とされたことを特徴とする作業機であってもよい。
また、上記構成に加えて、前記ギヤケースは、  前記ブラシの運動の方向と異なる方向の振動を前記ブラシに与えることを特徴とする作業機であってもよく、前記伝達軸に対する前記２つのブラシの取付角度が可変とされたことを特徴としてもよい。
【発明の効果】
【００１６】
本発明は以上のように構成されているので、刈払機を清掃機に流用し、使用が容易な清掃機を得ることができる。
【図面の簡単な説明】
【００１７】
【図１】本発明の第１の実施の形態に係る刈払機用アタッチメントが装着された状態の刈払機の構成を示す斜視図である。
【図２】本発明の第１の実施の形態に係る刈払機用アタッチメントが装着された際の刈払機用アタッチメント近傍の上面図（ａ）、側面図（ｂ）である。
【図３】本発明の第１の実施の形態に係る刈払機用アタッチメントにおける２つのブラシの動きを示す底面図である。
【図４】本発明の第１の実施の形態に係る刈払機用アタッチメントにおけるギヤケースの構造を示す断面図である。
【図５】本発明の第１の実施の形態に係る刈払機用アタッチメントにおけるギヤケースにおけるカム、カムロッドの動きを示す透視図である。
【図６】本発明の第１の実施の形態に係る刈払機用アタッチメントを用い、連結棹に対するブラシの取付角度を変えた場合の形態を示す側面図である。
【図７】本発明の第２の実施の形態に係る刈払機用アタッチメントにおけるギヤケースの構造を示す断面図である。
【図８】本発明の第３の実施の形態に係る刈払機用アタッチメントにおけるギヤケースの構造を示す断面図である。
【図９】従来の刈払機の構成を示す斜視図である。
【図１０】従来の刈払機において用いられるギヤケースの構造を示す断面図である
【発明を実施するための形態】
【００１８】
本発明の実施の形態となる刈払機用アタッチメントの構成について説明する。この刈払機用アタッチメントは、刈払機におけるギヤケース、刈刃の代わりに装着される。これによって、刈払機用アタッチメントに設けられたブラシが清掃に適した運動をする。この際に、ブラシを床に当接させた場合においても、これによる悪影響は抑制される。このため、刈払機を流用し、使用が容易な清掃機を得ることができる。なお、以下の実施形態は、刈払機を例示して行うが、本発明はこれらの例示された実施形態に限定されるものではなく、類似の構造、例えば、ポールソー等、連結棹の中に伝達軸を有し、先端の作業部に対し、他端の動力源を供給する作業機全般に適用することが可能なものである。
【００１９】
（第１の実施の形態））
図１は、第１の実施の形態に係る刈払機用アタッチメント（アタッチメント）１０が装着された状態の刈払機２００の構成を示す斜視図である。このアタッチメント１０においては、１対のブラシが前後方向に逆向きに往復運動をする。
【００２０】
このアタッチメント１０を装着する際には、図９の刈払機２００における連結棹２２０、エンジン２３０、ハンドル２４０等はそのまま使用される。図１の構成においては、カバー２５０は取り外され、かつ図９におけるギヤケース（刈払機用ギヤケース）２６０よりも左側の部分、主に図１０に示された部分がアタッチメント１０に置換されている。このため、作業者は、ハンドル２４０等を把持し、刈刃２１０の代わりに装着された先端のブラシ４０ａ、４０ｂを床等に当接させて、清掃作業を行うことができる。
【００２１】
図２は、このアタッチメント１０が装着された際のアタッチメント１０近傍の上面図（ａ）、側面図（ｂ）である。このアタッチメント１０においては、前記のギヤケース（刈払機用ギヤケース）２６０の代わりに、ギヤケース（清掃機用ギヤケース）２０が用いられ、連結棹２２０内の伝達軸（図２においては図示せず）に接続される。また、ギヤケース２０における連結棹２２０と反対側（先端側）には、１対のブラシ４０ａ、４０ｂが左右に設けられる。ブラシ４０ａ、４０ｂは、ギヤケース２０によって駆動される。また、ギヤケース２０（ブラシ４０ａ、４０ｂ）と連結棹２２０との間のなす角度は、可変とされる。すなわち、これらの角度を所望の角度とした状態でブラシ４０ａ、４０ｂを駆動することができる。この角度を調整するために、ギヤケース２０には、後側上方に向かって延伸するレバー３１が固定されている。
【００２２】
図２（ｂ）に示されるように、前後方向に細長いブラシ４０ａ、４０ｂの下面は、床に当接するように下側に突出する。図３（ａ）〜（ｃ）は、伝達軸２２１の回転に伴うブラシ４０ａ、４０ｂの動きを示す底面図である。図示されるように、ブラシ４０ａ、４０ｂは、共に前後方向に往復運動をする。ただし、ブラシ４０ａ、４０ｂの動く方向は常に逆向きとなっている。あるいは、ブラシ４０ａ、４０ｂは、互いに１８０°異なる位相で往復運動をする。ブラシ４０ａ、４０ｂの下面を床に当接させれば、この動きによって清掃作業をすることができる。この際、特に前後方向における広い範囲の清掃を行うことができる。
【００２３】
図４（ａ）（ｂ）は、ギヤケース２０の構造を示す断面図である。ここで、図４（ａ）は、伝達軸２２１を含む断面図であり、伝達軸２２１からこのギヤケース２０まで回転運動を伝達するための構造が主に示されている。図４（ｂ）は、伝達された回転運動をブラシ４０ａ、４０ｂの往復運動に変換するための構造が主に示されている。
【００２４】
図４（ａ）において、連結棹２２０内の伝達軸２２１の先端にはベベルギヤ２１ａが固定される。この構成は図９、１０の構成の刈払機２００と同様であるため、刈払機２００におけるギヤケース２６０よりも後方の構造は、そのまま使用することができ、このギヤケース２０を図１０のギヤケース２６０の代わりに装着することができる。
【００２５】
伝達軸２２１と直交しギヤケース２０内に設けられた第１中継軸２２の図４（ａ）中における下側にはベベルギヤ２１ｂが固定され、ベベルギヤ２１ａとベベルギヤ２１ｂが噛合する。これによって、伝達軸２２１の回転運動は、図４（ａ）においてこれと紙面上側に向かって９０°異なる向きをもつ第１中継軸２２に伝達される。図４（ａ）中における第１中継軸２２の上側にはベベルギヤ２３ａが固定される。ベベルギヤ２３ａには、第１中継軸２２と直交する第２中継軸２５に固定されたベベルギヤ２３ｂが噛合する。第２中継軸２５は、図４（ａ）においては紙面と垂直方向となる。図１０の構成と同様に、伝達軸２２１は連結棹２２０の中でベアリング２２２によって回転自在に支持され、第１中継軸２２は、ギヤケース２０中においてベアリング２４ａ、２４ｂによって回転自在に支持される。
【００２６】
また、図４（ａ）の構成においては、伝達軸２２１、連結棹２２０は、第１中継軸２２を中心として図４（ａ）における紙面と垂直方向において回動可能である。これにより、連結棹２２０（伝達軸２２１）ギヤケース２０との間のなす角度は可変とされる。
【００２７】
図４（ｂ）は、図４（ａ）における紙面と垂直な方向の断面（第２中継軸２５に沿った断面）を示し、ベベルギヤ２３ｂに伝達された以降の運動に関わる機構が主に示されている。ベベルギヤ２３ｂには第２中継軸２５が固定され、これにより、伝達軸２２１の回転運動は、伝達軸２２１及び第１中継軸２２と直交する第２中継軸２５に伝達される。図４（ｂ）に示されるように、第２中継軸２５は、ベアリング２６ａ、２６ｂによってギヤケース２０中において回転自在に支持される。
【００２８】
図４（ｂ）における第２中継軸２５におけるベベルギヤ２３ｂよりも下側には、カム（偏心カム）２７ａが固定され、更にその下側にはカム（偏心カム）２７ｂが固定される。また、ギヤケース２０中には、カム２７ａが係合する開口部を具備するカムロッド２８ａ、カム２７ｂが係合する開口部を具備するカムロッド２８ｂも設けられている。カム２７ａ、２７ｂ、カムロッド２８ａ、２８ｂによって、第２中継軸２５の回転運動はカムロッド２８ａ、２８ｂの前方端部の往復運動に変換される。
【００２９】
図５は、第２中継軸２５の回転運動に伴うカム、カムロッドの動きを示す透視図であり、図３に対応した、底面から見た状態が示されている。図５においては、主にカム２７ｂ、カムロッド２８ｂの動きが示されている。カムロッド２８ｂの前端は、前方（図５中の左方）に向かって直線状に延伸し前後方向においてのみ可動とされたブラシ固定部２９ｂの後端側にピン３０によって回転自在に固定される。カムロッド２８ｂは、第２中継軸２５に対して偏心形状として固定されたカム２７ｂの回転によって、図５（ａ）〜（ｃ）に示されるように駆動される。これによって、カムロッド２８ｂの前端（図５における左端）は図中の左右方向に往復運動をする。このため、ブラシ固定部２９ｂは、第２中継軸２５の回転運動に伴って前後方向に往復運動をする。
【００３０】
図５の構成においては、カム２７ａ、カムロッド２８ａ（図５において図示せず）、ブラシ固定部２９ａは、それぞれカム２７ｂ、カムロッド２８ｂ、ブラシ固定部２９ｂの紙面向こう側に位置し、同様に動作する。ただし、カム２７ａとカム２７ｂは第２中継軸２５の回転角において１８０°ずれた形態とされる。このため、ブラシ固定部２９ａの往復運動の位相はブラシ固定部２９ｂと１８０°ずれる。このため、ブラシ固定部２９ａ、２９ｂにブラシ４０ａ、４０ｂを固定することによって、図３の動作を実現することができる。
【００３１】
上記のアタッチメント１０を図９の刈払機２００に装着し、ブラシ４０ａ、４０ｂの下面側を床に当接させ、摺動させることによって、清掃機として使用することができる。この際、ブラシ４０ａ、４０ｂは往復運動をするために、清掃機（アタッチメント１０が装着された刈払機２００）を床の上で静止させた場合においても、前後方向における広い面積を清掃することができる。また、この際にブラシ４０ａ、４０ｂは常に逆向きに運動し、ブラシ４０ａ、４０ｂから作業者に伝わる反動は相殺されるため、作業者に伝わる反動が小さくなる。また、清掃作業の際に通常は水が撒かれるが、この際の水が周囲に飛散することも抑制される。このアタッチメント１０を用いることにより、刈刃２１０の単純な回転運動のみで動作する刈払機２００を、清掃機としても使用することができる。
【００３２】
なお、上記の動作においては、ブラシ４０ａ、４０ｂの往復運動の位相が１８０°異なるものとしたが、この位相差が厳密に１８０°である必要はない。例えば、ブラシ４０ａ、４０ｂの運動は常に逆向きである必要はなく、ブラシ４０ａ又はブラシ４０ｂが最も高速となる箇所においてこれらの動きが逆向きであれば、作業者に伝わる反動が小さくなる効果が得られることは明らかである。この位相差は、この効果や清掃効率等を考慮して適宜設定される。
【００３３】
また、前記の通り、この清掃機においては、ブラシ４０ａ、４０ｂの連結棹２２０（伝達軸２２１）に対する取付角度が可変となる。図６は、連結棹２２０を水平とした場合にこの角度を２種類に設定した場合における側面図（図２（ｂ）に対応）を示す。図６（ａ）の場合には、ブラシ４０ａ、４０ｂを連結棹２２０よりも上向きにし、図６（ｂ）の場合には、ブラシ４０ａ、４０ｂを連結棹２２０よりも下向きにしている。刈払機２００と異なり、清掃機においては、床だけではなく壁等の表面の清掃にも用いられる場合がある。こうした場合において、ブラシ４０ａ、４０ｂの取付角度を可変とすることが好ましい。
【００３４】
また、清掃機においては、一般的にブラシにおいて清掃に用いられる側は定まっており、ブラシ４０ａ、４０ｂにおいては、図２（ｂ）における下面側のみが清掃作業の際に用いられる。こうした場合においては、ブラシ４０ａ、４０ｂの連結棹２２０に対する取付角度を広い範囲で変えられることにより、清掃作業が特に容易となる。例えば、図６（ｂ）に示されるように、ブラシ４０ａ、４０ｂ側を下側に垂直に向けた場合、作業者が連結棹２２０を壁４００の背面側（図６（ｂ）における右側）で保持し、壁４００の表面（図における左側の面）を清掃することもできる。刈払機２００は本来こうした態様で使用されることはない。
【００３５】
すなわち、ブラシ４０ａ、４０ｂの連結棹２２０に対する取付角度を可変とする構成は、特に清掃機においては有効である。これによって、清掃作業を特に容易にすることができる。
【００３６】
なお、図１の構成においては、ブラシ４０ａ、４０ｂは、連結棹２２０に対し延在する方向、すなわち、縦方向に摺動軸を有する構成を例示したが、ブラシの摺動軸の方向は、該方向に限定されるものではない。例えば、連結棹２２０の軸方向と交差する方向、すなわち、横方向（Ｔ字の縦線を連結棹としたときに、上部の横線方向）方向に摺動軸を有する構成としてもよい。さらに、摺動に伴う反動が大きい方向のベクトルにおいて、当該反動を十分に打ち消す位相差を有していれば、ブラシ４０ａ、４０ｂの摺動方向が、それぞれ、連結棹２２０と異なる方向、例えば、斜めの方向（Ｙ字の縦線を連結棹としたときに、上部の斜め線の方向）に摺動軸を有する構成であってもよい。
【００３７】
また、本実施例ではカバー２５０は取り外された構成を例示しているが、カバー２５０を残すか否かは任意であり、代わりに、ゴム等の軟性材料で構成されたカバーを装着することもできる。この場合には、カバーが床に当接しても、容易に変形するため、清掃作業をより円滑に行うことができる。また、この際、ブラシ４０ａ、４０ｂの周囲の広い範囲を囲むようなカバーを用いることにより、水の飛散をより抑制することもできる。さらに、ブラシ４０ａ、４０ｂの前後方向における位置を可変とし、この位置を清掃する対象によって調整できる構成とすることによって、清掃作業をより容易に行うことができる。このためには、例えばブラシ固定部２９ａ、２９ｂの前後方向における長さを可変とすることが好ましい。
【００３８】
（第２の実施の形態）
前記の通り、１対のブラシを同時に異なる方向に運動させることによって、作業者に対して伝わる反動を小さくすることができる。上記の構成においては、前後方向に往復運動をするブラシ４０ａ、４０ｂを用いてこれを実現していた。これに対し、回転運動をするブラシを用いても同様の構成を実現することができる。図７は、この構成のアタッチメント５０に用いられるギヤケース（清掃機用ギヤケース）６０周辺の構成を示す断面図である。この図は、第１の実施の形態における図４（ｂ）に対応し、主にベベルギヤ２３ａから回転運動が伝達する以降の機構が示されている。伝達軸２２１からベベルギヤ２３ａまで回転運動を伝達するための機構は図４（ａ）と同様である。
【００３９】
図７において、ベベルギヤ２３ｂが固定された第１装着軸６１の下端には、環状の回転ブラシ（ブラシ）７０ａが固定されている。このため、回転ブラシ７０ａは第１装着軸６１の回転と共に回転し、回転ブラシ７０ａの下面を床に当接させることによって、清掃が行われる。この構成は、図１０におけるギヤケース２６０と類似しており、刈刃２１０の代わりに回転ブラシ７０ａが用いられている。
【００４０】
これに対して、ベベルギヤ２３ａには、ベベルギヤ２３ｂと反対側（上側）において、ベベルギヤ２３ｃも噛合する。ベベルギヤ２３ｃには第１装着軸６１と同軸とされた第２装着軸６２が固定されている。第２装着軸６２は、第１装着軸６１において形成された挿通孔において回転自在に支持されている。また、この状態で、第１装着軸６１、第２装着軸６２は、ベアリング６３ａ、６３ｂによってギヤケース６０中で支持される。また、第２装着軸６２には、回転ブラシ７０ａよりも大きな外径をもち回転ブラシ７０ａの外側を囲む環状の回転ブラシ（ブラシ）７０ｂが固定されている。
【００４１】
この構成においては、ベベルギヤ２３ｂとベベルギヤ２３ｃが対向した状態でベベルギヤ２３ａと噛合しているため、ベベルギヤ２３ｂが固定された第１装着軸６１とベベルギヤ２３ｃが固定された第２装着軸６２は、互いに逆向きに回転する。このため、回転ブラシ７０ａと回転ブラシ７０ｂも互いに逆向きに回転する。
【００４２】
この構成によって、第１の実施の形態と同様に、作業者に伝わる反動が小さくなり、また、一つのブラシを一方向に回転させる構成と比べ、遠心力によって水が周囲に飛散することが大幅に抑制される。なお、このギヤケース６０において、伝達軸２２１からベベルギヤ２３ａまで回転運動を伝達するための機構は図４（ａ）と同様であるため、回転ブラシ７０ａ、７０ｂの連結棹２２０に対する取付角度が可変となることは、前記のギヤケース２０と同様である。
【００４３】
なお、上記の構成においては、第１装着軸６１と第２装着軸６２は同軸で逆方向に回転する設定とされたが、上記と同様の動作が実現できる限りにおいて、これらが同軸である必要はない。
【００４４】
また、この構成においても、回転ブラシ７０ａ、７０ｂの前後方向における取り付け位置を可変とすることが好ましい。これによって、清掃作業をより容易に行うことができる。
【００４５】
（第３の実施の形態）
第１の実施の形態においては、ブラシ４０ａ、４０ｂが前後方向に往復運動し、第２の実施の形態においては、回転ブラシ７０ａ、７０ｂが水平面内で回転運動をした。第３の実施の形態に係るアタッチメントにおいては、これらの動きと異なる方向として、ブラシの毛先に向かう方向に、運動（振動）をブラシに与えるものである。
【００４６】
このアタッチメント８０で用いられるギヤケース（清掃機用ギヤケース）９０は、前記のギヤケース６０において、図７における上下方向の動きを回転ブラシに対して更に与える。以下では、この場合における回転ブラシ７０ａに関連した機構について説明するが、第２の実施の形態のように複数の回転ブラシを有する構成の場合は、回転ブラシ７０ａ、回転ブラシ７０ｂのいずれか一方、もしくは両方の回転ブラシに対して、同様の機構により上下運動の動きを与えてもよい。
【００４７】
図８は、このギヤケース９０周辺の構成を示す断面図である。ベベルギヤ２３ａ、２３ｂについては、図７の構成と同様であり、ベベルギヤ２３ｂには、第１装着軸９１が固定され、第１装着軸９１の下端には回転ブラシ７０ａが装着されている。このため、前記と同様に、回転ブラシ７０は回転運動をする。ただし、この構成においては、第１装着軸９１における下側の部分及び回転ブラシ７０ａは、ベベルギヤ２３ｂをベベルギヤ２３ａに噛合させた状態で、上下方向に移動可能とされる。更に、これらはバネ（図示せず）によって下側、すなわち、回転ブラシ７０ａを床に当接させるように付勢されている。
【００４８】
また、ギヤケース９０内においては、固定ラチェット９２が固定され、固定ラチェット９２の中を第１装着軸９１が上下方向に貫通する構成とされる。固定ラチェット９２は下側に刃付けがされている。また、第１装着軸９１における固定ラチェット９２の下側には、固定ラチェット９２に対応して上側に刃付けがされた回転ラチェット９３が固定されている。回転ブラシ７０ａに下側から力が加わり、第１装着軸９１における下側の部分が上側に移動した場合には、第１装着軸９１と共に回転する回転ラチェット９３は、固定された固定ラチェット９２に当接する設定とされる。第１装着軸９１は、ベアリング９４と固定ラチェット９２によってギヤケース９０内において支持される。
【００４９】
清掃作業を行なう際には、回転ブラシ７０ａが床に当接するために、第１装着軸９１は押し上げられ、回転ラチェット９３が固定ラチェット９２に当接し噛合する。この際、固定ラチェット９２は回転できないために、固定ラチェット９２と回転ラチェット９３に形成された刃の振幅に対応して、回転ラチェット９３、第１装着軸９１、回転ブラシ７０ａが上下運動をする。すなわち、清掃の際に、回転ブラシ７０ａが上下運動をする。これにより、清掃対象である床の凹部にも回転ブラシ７０ａの毛先を入り込ませやすくすることができ、清掃効率を高めることができる。
【００５０】
図８の構成においては、回転ブラシ７０ａ、第１装着軸９１に対して上下運動を与える構成が示されているが、図７における回転ブラシ７０ｂ、第２装着軸６２に対しても同様の構成を適用できることは明らかである。
【００５１】
また、上記の例では、第２の実施の形態と同様に回転ブラシを上下方向に往復（振動）させたが、第１の実施の形態における直線運動をするブラシを同様に上下運動させてもよいことは明らかである。更に、単なる上下運動ではなく、例えばブラシを前後方向において傾かせる振動を生じさせても、同様に清掃効率を高めることができる。第２の実施の形態における回転ブラシに対しては、左右方向に傾かせる振動を生じさせてもよい。こうした上下運動や振動を発生させる機構として、上記の構成以外のものを用いることができる。
【００５２】
切断作業を行う刈払機においては、こうした上下方向の動作は不要であり、逆に、こうした動作を付加することは、切断精度や刈刃に与える影響、不要な振動の一因となるために好ましくない。これに対して、上記の構成においては、アタッチメントを装着することによってのみこうした上下運動を実現し、ブラシの先端部における清掃効率の向上を実現している。このため、アタッチメントを装着せず通常の刈払機として使用する場合には、切断精度を高くすることができる一方で、アタッチメントを装着して清掃機として使用する際においてのみ、ブラシの上下運動を発生させ、清掃効率を高めることができる。
【００５３】
また、上記の例では、刈払機に刈払機用アタッチメントを装着する例について記載したが、逆に、清掃を行うための作業機を、図１等と同様の構成とすることもできる。この場合においても、細長い連結棹の両端に駆動部とブラシをそれぞれ具備した構成は、作業者にとって清掃が容易であるために好ましく、細長い連結棹の中の駆動軸の回転運動をこの回転運動とは異なる方向のブラシの運動に変換する上記のギヤケースは有効である。この場合においては、連結棹の一部や、連結棹とギヤケースあるいは駆動部との接続部分を着脱可能な構造とすることが好ましい。これによって、上記の例とは逆に、清掃用の作業機を、他の作業機として使用することも可能となる。また、作業機を分解してコンパクトな形態として収納することもできる。
【符号の説明】
【００５４】
１０、５０、８０  刈払機用アタッチメント（アタッチメント）
２０、６０、９０  ギヤケース（清掃機用ギヤケース）
２１ａ、２１ｂ、２３ａ、２３ｂ、２３ｃ、２６１ａ、２６１ｂ  ベベルギヤ
２２  第１中継軸
２４ａ、２４ｂ、２６ａ、２６ｂ、６３ａ、６３ｂ、９４、２２２、２６３ａ、２６３ｂ  ベアリング
２５  第２中継軸
２７ａ、２７ｂ  カム（偏心カム）
２８ａ、２８ｂ  カムロッド
２９ａ、２９ｂ  ブラシ固定部
３０  ピン
３１  レバー
４０ａ、４０ｂ  ブラシ
６１、９１  第１装着軸
６２  第２装着軸
７０ａ、７０ｂ  回転ブラシ（ブラシ）
９２  固定ラチェット
９３  回転ラチェット
２００  刈払機
２１０  刈刃
２２０  シャフト（連結棹）
２２１  伝達軸
２３０  エンジン（駆動部）
２４０  ハンドル
２５０  カバー
２６０  ギヤケース（刈払機用ギヤケース）
２６２  装着軸
４００  壁
【図１】
2015013239.tif 000003
【図２】
2015013239.tif 000004
【図３】
2015013239.tif 000005
【図４】
2015013239.tif 000006
【図５】
2015013239.tif 000007
【図６】
2015013239.tif 000008
【図７】
2015013239.tif 000009
【図８】
2015013239.tif 000010
【図９】
2015013239.tif 000011
【図１０】
2015013239.tif 000012